(57)【要約】【課題】  本発明は内容表示方法及び装置に関し、コンピュータ技術分野に属する。【解決手段】  内容表示方法は、ディスプレイにおける表示内容が変更したか否かを検出することと、表示内容が変更しない場合、ディスプレイを制御して各行の表示ユニットにおける第１部分表示ユニットと第２部分表示ユニットに対応する表示データを交互に更新させ、表示ユニットは行で区画したｍ行の画素組合せであり、又は、ディスプレイを制御して各列の表示ユニットにおける第３部分表示ユニットと第４部分表示ユニットに対応する表示データを交互に更新させ、表示ユニットは列で区画したｎ列の画素組合せであり、ｍとｎは正の整数であることを含み、表示内容が変わらない場合、ディスプレイのリフレッシュレートを低減することによるディスプレイの画面のちらつき現象を引き起こす問題を解決し、ディスプレイの本来のリフレッシュレートを維持するとともに、ディスプレイの画面のちらつき現象を回避し、ディスプレイの電力消費を低減する効果を実現する。【選択図】図２
2018503139.tif 000002
【特許請求の範囲】
【請求項１】
内容表示方法であって、前記方法は、
ディスプレイにおける表示内容が変更したか否かを検出することと、
前記表示内容が変更しない場合、前記ディスプレイを制御して各行の表示ユニットにおける第１部分表示ユニットと第２部分表示ユニットに対応する表示データを交互に更新させ、前記表示ユニットは行で区画したｍ行の画素組合せであり、又は、前記ディスプレイを制御して各列の表示ユニットにおける第３部分表示ユニットと第４部分表示ユニットに対応する表示データを交互に更新させ、前記表示ユニットは列で区画したｎ列の画素組合せであり、ｍとｎは正の整数であることと、を含むことを特徴とする内容表示方法。
【請求項２】
前記表示ユニットが行で区画したｍ行の画素組合せである場合、前記第１部分表示ユニットはｉ個の第１セルを有し、前記第２部分表示ユニットはｊ個の第２セルを有し、前記第１セルと前記第２セルとは交互に配置され、ｉとｊは正の整数であり、
前記第１セルは連続するｐ個の画素を有し、前記第２セルは連続するｑ個の画素を有し、ｐとｑは正の整数であることを特徴とする請求項１に記載の方法。
【請求項３】
隣接する２行の表示ユニットにおいて、１行目の表示ユニットにおける全ての第１セルと２行目の表示ユニットにおける全ての第１セルとは行方向に相互にずらし、隣接する２行の表示ユニットにおいて、１行目の表示ユニットにおける全ての第２セルと２行目の表示ユニットにおける全ての第２セルとは行方向に相互にずらすことを特徴とする請求項２に記載の方法。
【請求項４】
各画素は対応するイネーブル線によって駆動集積回路ＩＣに電気的に接続され、各画素はスイッチによってデータ線に電気的に接続され、前記ディスプレイを制御して各行の表示ユニットにおける第１部分表示ユニットと第２部分表示ユニットに対応する表示データを交互に更新させることは、
奇数回更新する時、前記駆動ＩＣにより各第１セルにおける全ての画素のスイッチを第１状態に制御し、各第２セルにおける全ての画素のスイッチを第２状態に制御することと、
偶数回更新する時、前記駆動ＩＣにより各第１セルにおける全ての画素のスイッチを第２状態に制御し、各第２セルにおける全ての画素のスイッチを第１状態に制御することと、を含むことを特徴とする請求項２に記載の方法。
【請求項５】
前記表示ユニットは列で区画したｎ列の画素組合せである場合、前記第３部分表示ユニットはｋ個の第３セルを有し、前記第４部分表示ユニットはｌ個の第４セルを有し、前記第３セルと前記第４セルとは交互に配置され、ｋとｌは正の整数であり、
前記第３セルは連続するｒ個の画素を有し、前記第４セルは連続するｓ個の画素を有し、ｒとｓは正の整数であることを特徴とする請求項１に記載の方法。
【請求項６】
隣接する２列の表示ユニットにおいて、１列目の表示ユニットにおける全ての第３セルと２列目の表示ユニットにおける全ての第３セルとは行方向に相互にずらし、隣接する２列の表示ユニットにおいて、１列目の表示ユニットにおける全ての第４セルと２列目の表示ユニットにおける全ての第４セルとは行方向に相互にずらすことを特徴とする請求項５に記載の方法。
【請求項７】
各画素は対応するイネーブル線によって駆動ＩＣに電気的に接続され、各画素はスイッチによってデータ線に電気的に接続され、前記ディスプレイを制御して各列の表示ユニットにおける第３部分表示ユニットと第４部分表示ユニットに対応する表示データを交互に更新させることは、
奇数回更新する時、前記駆動ＩＣにより各第３セルにおける全ての画素のスイッチを第１状態に制御し、各第４セルにおける全ての画素のスイッチを第２状態に制御することと、
偶数回更新する時、前記駆動ＩＣにより各第３セルにおける全ての画素のスイッチを第２状態に制御し、各第４セルにおける全ての画素のスイッチを第１状態に制御することと、を含むことを特徴とする請求項５に記載の方法。
【請求項８】
内容表示装置であって、前記装置は、
ディスプレイにおける表示内容が変更したか否かを検出するように配置される検出モジュールと、
前記検出モジュールにより表示内容が変更しないことを検出した場合、前記ディスプレイを制御して各行の表示ユニットにおける第１部分表示ユニットと第２部分表示ユニットに対応する表示データを交互に更新させ、前記表示ユニットは行で区画したｍ行の画素組合せであり、又は、前記ディスプレイを制御して各列の表示ユニットにおける第３部分表示ユニットと第４部分表示ユニットに対応する表示データを交互に更新させ、前記表示ユニットは列で区画したｎ列の画素組合せであり、ｍとｎは正の整数であるように配置される制御モジュールと、を含むことを特徴とする内容表示装置。
【請求項９】
前記表示ユニットが行で区画したｍ行の画素組合せである場合、前記第１部分表示ユニットはｉ個の第１セルを有し、前記第２部分表示ユニットはｊ個の第２セルを有し、前記第１セルと前記第２セルとは交互に配置され、ｉとｊは正の整数であり、
前記第１セルは連続するｐ個の画素を有し、前記第２セルは連続するｑ個の画素を有し、ｐとｑは正の整数であることを特徴とする請求項８に記載の装置。
【請求項１０】
隣接する２行の表示ユニットにおいて、１行目の表示ユニットにおける全ての第１セルと２行目の表示ユニットにおける全ての第１セルとは行方向に相互にずらし、隣接する２行の表示ユニットにおいて、１行目の表示ユニットにおける全ての第２セルと２行目の表示ユニットにおける全ての第２セルとは行方向に相互にずらすことを特徴とする請求項９に記載の装置。
【請求項１１】
前記制御モジュールは、
奇数回更新する時、前記駆動ＩＣにより各第１セルにおける全ての画素のスイッチを第１状態に制御し、各第２セルにおける全ての画素のスイッチを第２状態に制御するように配置される第１制御サブモジュールと、
偶数回更新する時、前記駆動ＩＣにより各第１セルにおける全ての画素のスイッチを第２状態に制御し、各第２セルにおける全ての画素のスイッチを第１状態に制御するように配置される第２制御サブモジュールと、を含み、各画素は対応するイネーブル線によって駆動集積回路ＩＣに電気的に接続され、各画素はスイッチによってデータ線に電気的に接続されることを特徴とする請求項９に記載の装置。
【請求項１２】
前記表示ユニットが列で区画したｎ列の画素組合せである場合、前記第３部分表示ユニットはｋ個の第３セルを有し、前記第４部分表示ユニットはｌ個の第４セルを有し、前記第３セルと前記第４セルとは交互に配置され、ｋとｌは正の整数であり、
前記第３セルは連続するｒ個の画素を有し、前記第４セルは連続するｓ個の画素を有し、ｒとｓは正の整数であることを特徴とする請求項８に記載の装置。
【請求項１３】
隣接する２列の表示ユニットにおいて、１列目の表示ユニットにおける全ての第３セルと２列目の表示ユニットにおける全ての第３セルとは行方向に相互にずらし、隣接する２列の表示ユニットにおいて、１列目の表示ユニットにおける全ての第４セルと２列目の表示ユニットにおける全ての第４セルとは行方向に相互にずらすことを特徴とする請求項１２に記載の装置。
【請求項１４】
前記制御モジュールは、
奇数回更新する時、前記駆動ＩＣにより各第３セルにおける全ての画素のスイッチを第１状態に制御し、各第４セルにおける全ての画素のスイッチを第２状態に制御するように配置される第３制御サブモジュールと、
偶数回更新する時、前記駆動ＩＣにより各第３セルにおける全ての画素のスイッチを第２状態に制御し、各第４セルにおける全ての画素のスイッチを第１状態に制御するように配置される第４制御サブモジュールと、を含み、各画素は対応するイネーブル線を介して駆動集積回路ＩＣに電気的に接続され、各画素はスイッチによってデータ線に電気的に接続されることを特徴とする請求項１２に記載の装置。
【請求項１５】
内容表示装置であって、前記装置は、
プロセッサーと、
プロセッサーにより実行可能コマンドを記憶するのに用いられるメモリと、を含み、
前記プロセッサーは、
ディスプレイにおける表示内容が変更したか否かを検出し、
前記表示内容が変更しない場合、前記ディスプレイを制御して各行の表示ユニットにおける第１部分表示ユニットと第２部分表示ユニットに対応する表示データを交互に更新させ、前記表示ユニットは行で区画したｍ行の画素組合せであり、又は、前記ディスプレイを制御して各列の表示ユニットにおける第３部分表示ユニットと第４部分表示ユニットに対応する表示データを交互に更新させ、前記表示ユニットは列で区画したｎ列の画素組合せであり、ｍとｎは正の整数であるように配置されることを特徴とする内容表示装置。
【発明の詳細な説明】
【技術分野】
【０００１】
本発明は画像処理技術分野に関し、特に内容表示方法及び装置に関する。
【０００２】
本発明は出願番号がＣＮ２０１５１０６９６５２６．２であり、出願日が２０１５年１０月２２日である中国特許出願に基づいて提出され、該中国特許出願の優先権を主張し、該中国特許出願の全ての内容はここで参考として本願に援用される。
【背景技術】
【０００３】
ディスプレイはインテリジェント装置の電力消費の大部分を占めるものであり、その電力消費量はインテリジェント装置の電池使用時間に直接的な影響を与える。関連技術はディスプレイのリフレッシュレートを低減することで、ディスプレイの電力消費を低減する効果を実現した。しかし、リフレッシュレートを低減すると、ディスプレイの画面のちらつき現象を引き起こしてしまう。
【発明の概要】
【発明が解決しようとする課題】
【０００４】
関連技術の問題を解決するために、本発明は内容表示方法及び装置を提供する。
【課題を解決するための手段】
【０００５】
本発明の実施例の第１態様によれば、内容表示方法を提供し、該方法は、
ディスプレイにおける表示内容が変更したか否かを検出することと、
表示内容の変化が発生しない場合、ディスプレイを制御して各行の表示ユニットにおける第１部分表示ユニットと第２部分表示ユニットに対応する表示データを交互に更新させ、該表示ユニットは行で区画したｍ行の画素組合せであり、又は、ディスプレイを制御して各列の表示ユニットにおける第３部分表示ユニットと第４部分表示ユニットに対応する表示データを交互に更新させ、表示ユニットは列で区画したｎ列の画素組合せであり、ｍとｎは正の整数であることと、を含む。
【０００６】
表示ユニットが行で区画したｍ行の画素組合せである場合、第１部分表示ユニットはｉ個の第１セルを有し、第２部分表示ユニットはｊ個の第２セルを有し、第１セルと第２セルとは交互に配置され、ｉとｊは正の整数であり、
該第１セルは連続するｐ個の画素を有し、該第２セルは連続するｑ個の画素を有し、ｐとｑは正の整数であることが好ましい。
【０００７】
隣接する２行の表示ユニットにおいて、１行目の表示ユニットにおける全ての第１セルと２行目の表示ユニットにおける全ての第１セルとは列方向に相互にずらし、隣接する２行の表示ユニットにおいて、１行目の表示ユニットにおける全ての第２セルと２行目の表示ユニットにおける全ての第２セルとは列方向に相互にずらすことが好ましい。
【０００８】
各画素は対応するイネーブル線によって駆動集積回路ＩＣに電気的に接続され、各画素はスイッチによってデータ線に電気的に接続され、ディスプレイを制御して各行の表示ユニットにおける第１部分表示ユニットと第２部分表示ユニットに対応する表示データを交互に更新させることは、
奇数回更新する時、駆動ＩＣにより各第１セルにおける全ての画素のスイッチを第１状態に制御し、各第２セルにおける全ての画素のスイッチを第２状態に制御することと、
偶数回更新する時、駆動ＩＣにより各第１セルにおける全ての画素のスイッチを第２状態に制御し、各第２セルにおける全ての画素のスイッチを第１状態に制御することと、を含むことが好ましい。
【０００９】
表示ユニットが列で区画したｎ列の画素組合せである場合、第３部分表示ユニットはｋ個の第３セルを有し、第４部分表示ユニットはｌ個の第４セルを有し、第３セルと第４セルとは交互に配置され、ｋとｌは正の整数であり、
該第３セルは連続するｒ個の画素を有し、該第４セルは連続するｓ個の画素を有し、ｒとｓは正の整数であることが好ましい。
【００１０】
隣接する２列の表示ユニットにおいて、１列目の表示ユニットにおける全ての第３セルと２列目の表示ユニットにおける全ての第３セルとは行方向に相互にずらし、隣接する２列の表示ユニットにおいて、１列目の表示ユニットにおける全ての第４セルと２列目の表示ユニットにおける全ての第４セルとは行方向に相互にずらすことが好ましい。
【００１１】
各画素は対応するイネーブル線によって駆動ＩＣに電気的に接続され、各画素はスイッチによってデータ線に電気的に接続され、ディスプレイを制御して各列の表示ユニットにおける第３部分表示ユニットと第４部分表示ユニットに対応する表示データを交互に更新させることは、
奇数回更新する時、駆動ＩＣにより各第３セルにおける全ての画素のスイッチを第１状態に制御し、各第４セルにおける全ての画素のスイッチを第２状態に制御することと、
偶数回更新する時、駆動ＩＣにより各第３セルにおける全ての画素のスイッチを第２状態に制御し、各第４セルにおける全ての画素のスイッチを第１状態に制御することと、を含むことが好ましい。
【００１２】
本発明の実施例の第２態様によれば、内容表示装置を提供し、装置は、
ディスプレイにおける表示内容が変更したか否かを検出するように配置される検出モジュールと、
検出モジュールにより表示内容が変更しないことを検出した場合、ディスプレイを制御して各行の表示ユニットにおける第１部分表示ユニットと第２部分表示ユニットに対応する表示データを交互に更新させ、表示ユニットは行で区画したｍ行の画素組合せであり、又は、ディスプレイを制御して各列の表示ユニットにおける第３部分表示ユニットと第４部分表示ユニットに対応する表示データを交互に更新させ、表示ユニットは列で区画したｎ列の画素組合せであり、ｍとｎは正の整数であるように配置される制御モジュールと、を含む。
【００１３】
表示ユニットが行で区画したｍ行の画素組合せである場合、第１部分表示ユニットはｉ個の第１セルを有し、第２部分表示ユニットはｊ個の第２セルを有し、第１セルと第２セルとは交互に配置され、ｉとｊは正の整数であり、
該第１セルは連続するｐ個の画素を有し、該第２セルは連続するｑ個の画素を有し、ｐとｑは正の整数であることが好ましい。
【００１４】
隣接する２行の表示ユニットにおいて、１行目の表示ユニットにおける全ての第１セルと２行目の表示ユニットにおける全ての第１セルとは列方向に相互にずらし、隣接する２行の表示ユニットにおいて、１行目の表示ユニットにおける全ての第２セルと２行目の表示ユニットにおける全ての第２セルとは列方向に相互にずらすことが好ましい。
【００１５】
各画素は対応するイネーブル線によって駆動集積回路ＩＣに電気的に接続され、各画素はスイッチによってデータ線に電気的に接続され、該制御モジュールは、
奇数回更新する時、駆動ＩＣにより各第１セルにおける全ての画素のスイッチを第１状態に制御し、各第２セルにおける全ての画素のスイッチを第２状態に制御するように配置される第１制御サブモジュールと、
偶数回更新する時、駆動ＩＣにより各第１セルにおける全ての画素のスイッチを第２状態に制御し、各第２セルにおける全ての画素のスイッチを第１状態に制御するように配置される第２制御サブモジュールと、をさらに含むことが好ましい。
【００１６】
表示ユニットが列で区画したｎ列の画素組合せである場合、第３部分表示ユニットはｋ個の第３セルを有し、第４部分表示ユニットはｌ個の第４セルを有し、第３セルと第４セルとは交互に配置され、ｋとｌは正の整数であり、
該第３セルは連続するｒ個の画素を有し、該第４セルは連続するｓ個の画素を有し、ｒとｓは正の整数であることが好ましい。
【００１７】
隣接する２列の表示ユニットにおいて、１列目の表示ユニットにおける全ての第３セルと２列目の表示ユニットにおける全ての第３セルとは行方向に相互にずらし、隣接する２列の表示ユニットにおいて、１列目の表示ユニットにおける全ての第４セルと２列目の表示ユニットにおける全ての第４セルとは行方向に相互にずらすことが好ましい。
【００１８】
各画素は対応するイネーブル線によって駆動ＩＣに電気的に接続され、各画素はスイッチによってデータ線に電気的に接続され、該制御モジュールは、
奇数回更新する時、駆動ＩＣにより各第３セルにおける全ての画素のスイッチを第１状態に制御し、各第４セルにおける全ての画素のスイッチを第２状態に制御するように配置される第３制御サブモジュールと、
偶数回更新する時、駆動ＩＣにより各第３セルにおける全ての画素のスイッチを第２状態に制御し、各第４セルにおける全ての画素のスイッチを第１状態に制御するように配置される第４制御サブモジュールと、をさらに含むことが好ましい。
【００１９】
本発明の実施例の第３態様によれば、内容表示装置を提供し、該装置は、
プロセッサーと、
プロセッサーの実行可能コマンドを記憶するのに用いられるメモリと、を含み、
該プロセッサーは、
ディスプレイにおける表示内容が変更したか否かを検出し、
表示内容が変更しない場合、ディスプレイを制御して各行の表示ユニットにおける第１部分表示ユニットと第２部分表示ユニットに対応する表示データを交互に更新させ、表示ユニットは行で区画したｍ行の画素組合せであり、又は、ディスプレイを制御して各列の表示ユニットにおける第３部分表示ユニットと第４部分表示ユニットに対応する表示データを交互に更新させ、表示ユニットは列で区画したｎ列の画素組合せであり、ｍとｎは正の整数であるように配置される。
【発明の効果】
【００２０】
本発明の実施例により提供される技術的解決手段は下記のような好適な効果を含むことができる。
【００２１】
ディスプレイにおける表示内容が変更したか否かを検出し、表示内容が変更しない場合、ディスプレイを制御して各行の表示ユニットにおける第１部分表示ユニットと第２部分表示ユニットに対応する表示データを交互に更新させ、又は、ディスプレイを制御して各列の表示ユニットにおける第３部分表示ユニットと第４部分表示ユニットに対応する表示データを交互に更新させることにより、本来のリフレッシュレートを維持するとともに、ディスプレイの毎回更新する画素数を減少させることができ、ディスプレイのリフレッシュレートを低減することによるディスプレイの画面のちらつき現象を引き起こす問題を解決し、ディスプレイの本来のリフレッシュレートを維持するとともに、ディスプレイの画面のちらつき現象を回避し、ディスプレイの電力消費を低減する効果を実現する。
【００２２】
理解すべきことは、以上の一般的な説明と後の詳細な説明は例示的及び解釈的なものに過ぎず、本発明を限定するものではない。
【図面の簡単な説明】
【００２３】
ここの図面は明細書に合せされて本発明の明細書の一部を配置し、本発明に適合する実施例を示し、明細書と共に本発明の原理を解釈するのに用いられる。
【００２４】
【図１】一例示的な実施例により示された内容表示方法のインプリメンテーション環境の概略図である。
【図２】一例示的な実施例により示された内容表示方法のフローチャートである。
【図３Ａ】一例示的な実施例により示された内容表示方法のフローチャートである。
【図３Ｂ】一例示的な実施例により示された第１種更新の概略図である。
【図３Ｃ】一例示的な実施例により示された第２種更新の概略図である。
【図３Ｄ】一例示的な実施例により示された第３種更新の概略図である。
【図３Ｅ】一例示的な実施例により示された第４種更新の概略図である。
【図３Ｆ】一例示的な実施例により示された第５種更新の概略図である。
【図３Ｇ】一例示的な実施例により示された第６種更新の概略図である。
【図３Ｈ】一例示的な実施例により示された第７種更新の概略図である。
【図３Ｉ】一例示的な実施例により示された第８種更新の概略図である。
【図３Ｊ】一例示的な実施例により示された第９種更新の概略図である。
【図３Ｋ】一例示的な実施例により示された第１０種更新の概略図である。
【図３Ｌ】一例示的な実施例により示された表示方法に係る第１種ディスプレイの表示過程のフローチャートである。
【図３Ｍ】一例示的な実施例により示された表示方法に係る第２種ディスプレイの表示過程のフローチャートである。
【図３Ｎ】一例示的な実施例により示された表示方法に係る第３種ディスプレイ表示過程のフローチャートである。
【図３Ｏ】一例示的な実施例により示された表示方法に係るディスプレイの表示過程の回路図である。
【図４】一例示的な実施例により示された内容表示装置のブロック図である。
【図５】別の例示的な実施例により示された内容表示装置のブロック図である。
【図６】一例示的な実施例により示された内容の表示に用いられる装置のブロック図である。
【発明を実施するための形態】
【００２５】
ここで例示的な実施例について詳しく説明し、その実例は図面に示される。下記の説明が図面に関わる時、別途に表示されない限り、異なる図面における同じ数字は同一又は類似する要素を表示する。以下の例示的な実施例に説明される実施形態は本発明と一致する全ての実施形態を代表するわけではない。逆に、それらは特許請求の範囲に詳細に記載された本発明の一部の態様と一致する装置と方法の例に過ぎない。
【００２６】
本発明の各実施例により提供される内容表示方法は、ディスプレイを備えた電子装置によって実現されることができる。該電子装置はスマートフォン、スマートテレビ、タブレットＰＣ、電子書籍リーダー、ＭＰ３プレーヤー（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、ムービングピクチャーエクスパーツグループオーディオレイヤー３）、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ、ムービングピクチャーエクスパーツグループオーディオレイヤー４）プレーヤー及び携帯型ラップトップコンピュータ（カメラ、ビデオカメラ）などであることができる。該ディスプレイはＬＣＤ（Ｌｉｑｕｉｄ  Ｃｒｙｓｔａｌ  Ｄｉｓｐｌａｙ、液晶ディスプレイ）、ＬＥＤ（Ｌｉｇｈｔ  Ｅｍｉｔｔｉｎｇ  Ｄｉｏｄｅ、発光ダイオード）又はＯＬＥＤ（Ｏｒｇａｎｉｃ  Ｌｉｇｈｔ‐Ｅｍｉｔｔｉｎｇ  Ｄｉｏｄｅ、有機発光ダイオード）などの画素により表示するディスプレイを採用することができる。
【００２７】
図１に示すように、それは本発明の各実施例により提供される内容表示方法に係るインプリメンテーション環境の概略図を示し、該インプリメンテーション環境はディスプレイを備えた電子装置の内部環境であり、該インプリメンテーション環境はプロセッサー１２０、伝送バス１４０、ディスプレイ１６０及びディスプレイ１６０に対応する駆動ＩＣ１８０を含む。
【００２８】
プロセッサー１２０は、ＣＰＵ（Ｃｅｎｔｒａｌ  Ｐｒｏｃｅｓｓｉｎｇ  Ｕｎｉｔ、中央処理装置）又はＧＰＵ（Ｇｒａｐｈｉｃｓ  Ｐｒｏｃｅｓｓｉｎｇ  Ｕｎｉｔ、画像処理装置）であってもよく、表示内容に対応する表示データを生成し、伝送バス１４０を介して表示データを駆動ＩＣ１８０に伝送するのに用いられる。
【００２９】
プロセッサー１２０と駆動ＩＣ１８０はそれぞれ伝送バス１４０に電気的に接続され、伝送バス１４０を介して表示データの送信を行う。
【００３０】
駆動ＩＣ１８０は、伝送バス１４０を介してプロセッサー１２０により送信された表示データを受信し、該表示データに基づいてディスプレイ１６０における相応の画素ユニットを制御して表示内容の更新を行わせるのに用いられ、駆動ＩＣ１８０とディスプレイ１６０とは電気的に接続される。
【００３１】
説明を簡略化するために、以下では端末により内容表示方法を実行することのみを実施例として説明するが、これに限定されるものではない。
【００３２】
図２は、一例示的な実施例により示された内容表示方法のフローチャートであり、図２に示すように、該内容表示方法は以下のステップを含む。
【００３３】
ステップ２０１において、ディスプレイにおける表示内容が変更したか否かを検出する。
【００３４】
ステップ２０２において、表示内容が変更しない場合、ディスプレイを制御して各行の表示ユニットにおける第１部分表示ユニットと第２部分表示ユニットに対応する表示データを交互に更新させ、該表示ユニットは行で区画したｍ行の画素組合せであり、又は、ディスプレイを制御して各列の表示ユニットにおける第３部分表示ユニットと第４部分表示ユニットに対応する表示データを交互に更新させ、該表示ユニットは列で区画したｎ列の画素組合せであり、ｍとｎは正の整数である。
【００３５】
上述のように、本発明により提供された内容表示方法では、ディスプレイにおける表示内容が変更したか否かを検出し、表示内容が変更しない場合、ディスプレイを制御して各行の表示ユニットにおける第１部分表示ユニットと第２部分表示ユニットに対応する表示データを交互に更新させ、又は、ディスプレイを制御して各列の表示ユニットにおける第３部分表示ユニットと第４部分表示ユニットに対応する表示データを交互に更新させることにより、本来のリフレッシュレートを維持するとともに、ディスプレイの毎回更新する画素数を減少させることができ、ディスプレイのリフレッシュレートを低減することによるディスプレイの画面のちらつき現象という問題を解決し、ディスプレイの本来のリフレッシュレートを維持するとともに、ディスプレイの画面のちらつき現象を回避し、ディスプレイの電力消費を低減する効果を実現する。
【００３６】
図３Ａは、一例示的な実施例により示された内容表示方法のフローチャートであり、図３Ａに示すように、該内容表示方法は以下のステップを含む。
【００３７】
ステップ３０１において、ディスプレイにおける表示内容が予定条件に合致するか否かを検出する。
【００３８】
端末におけるディスプレイが内容を表示する時、プロセッサーによって予定周波数に照らして生成された表示データをディスプレイに対応する駆動ＩＣへ送信し、駆動ＩＣによって該表示データに基づいてディスプレイを制御して表示内容を表示する必要があり、該プロセッサーはＣＰＵ又はＧＰＵであってもよく、該予定周波数は一般的に６０Ｈｚである。しかし、いくつかの特定の状態において、ディスプレイの表示内容は短時間以内に変わらない可能性があり、ＲＡＭ（Ｒａｎｄｏｍ  Ａｃｃｅｓｓ  Ｍｅｍｏｒｙ、ランダムアクセスメモリ）を備えているディスプレイに対して、表示内容が変化しない場合、駆動ＩＣはＲＡＭから履歴表示データを読み取ることができ、したがって表示内容が変更しない時にプロセッサーが同一表示データを生成することによる資源の無駄遣いを回避する一方、ＲＡＭを備えないディスプレイに対して、表示内容が変更しない時でも、プロセッサーは相変わらず同一表示データを継続的に生成しなければならず、プロセッサーのコンピューティング資源の無駄遣いをもたらす。
【００３９】
同一表示データを生成することによって引き起こしたプロセッサーの処理資源の無駄遣いを回避するために、端末は表示内容が予定条件に合致するか否かをリアルタイムに検出することができ、表示内容が予定条件に合致することを検出した場合、ステップ３０２を実行する。該予定条件は、表示内容がプリセットアプリケーションに属すること、又は表示内容による表示フレーム数に対する要求がプリセットフレーム数の閾値より小さいことの少なくとも１つを含む。
【００４０】
該プリセットアプリケーションは電子書籍、画像ビューアーなどのアプリケーションであってもよく、この種類のアプリケーションに対応する表示内容は一般的に静止画像であり、一時期に変わらない。
【００４１】
また、該プリセットフレーム数の閾値はディスプレイの初期設定のリフレッシュレートであってもよく、即ち表示内容が動的画像であり且つフレーム数がディスプレイのリフレッシュレートより小さい場合、該表示内容も予定条件に合致し、例えば、表示内容がビデオであり、ビデオの表示フレーム数が２４フレーム／秒であり、ディスプレイのリフレッシュレートが６０Ｈｚ（即ち６０フレーム／秒）である場合、該表示内容は予定条件に合致する。
【００４２】
ステップ３０２において、ディスプレイにおける表示内容が変更したか否かを検出する。
【００４３】
表示内容が予定条件に合致することを検出した場合、端末は表示待ち内容が変更したか否かを検出し、表示内容が変更した場合、該表示内容に対応する完全な表示データを生成し、表示内容が変更しない場合、ステップ３０３を実行する。
【００４４】
可能な実施形態として、表示内容がプリセットアプリケーションに属し、且つ端末がユーザーによりトリガーされた表示内容の変更信号を受信した場合、端末は表示内容が変更発生したことを確定し、該表示内容の変更信号はユーザーがディスプレイをタッチすることでトリガーされた信号であってもよい。
【００４５】
別の可能な実施形態として、表示内容による表示フレーム数に対する要求がプリセットフレーム数の閾値より小さい場合、端末は表示内容による表示フレーム数に対する要求及びディスプレイのリフレッシュレートに基づいて該表示内容の変更周期を確定し、該変更周期に基づいて表示内容が変更したか否かを検出する。例えば、現在の表示内容による表示フレーム数に対する要求が１５フレーム／秒であり、ディスプレイのリフレッシュレートが６０Ｈｚ（即ち６０フレーム／秒）である場合、該表示内容の変更周期は４フレームであり、即ちディスプレイが４フレームをリフレッシュするたびに表示内容を一回変更する。
【００４６】
ステップ３０３において、表示内容が変更しない場合、ディスプレイを制御して各行の表示ユニットにおける第１部分表示ユニットと第２部分表示ユニットに対応する表示データを交互に更新させ、該表示ユニットは行で区画したｍ行の画素組合せであり、又は、ディスプレイを制御して各列の表示ユニットにおける第３部分表示ユニットと第４部分表示ユニットに対応する表示データを交互に更新させ、該表示ユニットは列で区画したｎ列の画素組合せであり、ｍとｎは正の整数である。
【００４７】
表示内容が変更しないことを検出した場合、端末はディスプレイを制御して各行の表示ユニットにおける第１部分表示ユニットと第２部分表示ユニットに対応する表示データを交互に更新させる。ディスプレイが一定の画像保持機能（例えばＬＣＤにおける液晶）を備えるため、第１部分表示ユニットに対応する表示データを更新する時、第２部分表示ユニットの表示内容が消える訳がなく、少し薄くなって、表示内容全体の表示効果への影響は極めて小さく、ユーザーの体験には影響を与えない。同様に、第３部分表示ユニットと第４部分表示ユニットに対応する表示データを更新する時、表示内容全体の表示効果への影響も極めて小さい。
【００４８】
第１種可能な実施形態において、表示ユニットが行で区画したｍ行の画素組合せである場合、第１部分表示ユニットはｉ個の第１セルを有し、第２部分表示ユニットはｊ個の第２セルを有し、第１セルと第２セルとは交互に配置され、ｉとｊは正の整数であり、該第１セルは連続するｐ個の画素を有し、該第２セルは連続するｑ個の画素を有し、ｐとｑは正の整数である。
【００４９】
表示ユニットがｍ行の画素組合せである場合、１行の表示ユニットの表示データの更新をａ回に分けて１／ａ個の画素に対応する表示データを交互に更新することができる。例えば、ａが２である場合、表示ユニットに対応する表示データを２回に分けて更新し、即ち、一回目で第１部分表示ユニットに対応する表示データを更新し、二回目で第２部分表示ユニットに対応する表示データを更新し、三回目で第１部分表示ユニットに対応する表示データを更新し、四回目で第２部分表示ユニットに対応する表示データを更新し、これによって類推する。ａが３である場合、表示ユニットに対応する表示データを３回に分けて更新し、即ち、一回目で第１部分表示ユニットに対応する表示データを更新し、二回目で第２部分表示ユニットに対応する表示データを更新し、三回目で第３部分表示ユニットに対応する表示データを更新する。
【００５０】
なお、本来のリフレッシュレートを一定に維持する前提で、ａの数値は高いほど、ディスプレイの画面のちらつき現象が酷くなる。例えば、本来のリフレッシュレートは６０Ｈｚであり、ａが２である場合、各部分の表示データのリフレッシュレートはいずれも３０Ｈｚとなり、ａが３である場合、各部分の表示データのリフレッシュレートはいずれも２０Ｈｚとなる。リフレッシュレートが低いほど、画面のちらつき現象が酷くなる。
【００５１】
画面のちらつき現象を回避するために、可能な状況において、本来のリフレッシュレートが変わらないように維持し且つａの値を小さくに設定し、例えばａを２に設定すると、各部分の表示データのリフレッシュレートは３０Ｈｚとなり、別の可能な状況において、本来のリフレッシュレートを高め且つａの値を大きくに設定し、例えば、本来のリフレッシュレートを６０Ｈｚから９０Ｈｚに高め且つａを３に設定し、各部分の表示データのリフレッシュレートも３０Ｈｚとなる。
【００５２】
１行の表示ユニットを第１部分表示ユニットと第２部分表示ユニットに区画する時、１行の表示ユニットから任意数の画素を選べて第１部分表示ユニットとし、残りの画素を第２部分表示ユニットとすることができ、第１部分表示ユニットに含まれる画素数は第２部分表示ユニットに含まれる画素数と同じでも良いし、異なっていても良い。例えば、１行の表示ユニットが１行の画素組合せであり、且つ１行の画素組み合わせが１９２０個の画素を含む場合、そのうちの９６０個の画素を第１部分表示ユニットとし、残りの９６０個の画素を第２部分表示ユニットとする。
【００５３】
第１部分表示ユニットを選択する時、連続的な複数の画素を選択することができる。例えば、１行の１９２０個の画素における前９６０個の画素を第１部分表示ユニットに配置し、後９６０個の画素を第２部分表示ユニットに配置する。あるいは、１行の１９２０個の画素における中間部の９６０個の画素を第１部分表示ユニットに配置し、残りの９６０個の画素を第２部分表示ユニットに配置する。
【００５４】
あるいは、第１部分表示ユニットを選択する時、非連続的な複数の画素を選択しても良い。例えば、第１部分表示ユニットはｉ個の第１セルを有し、第２部分表示ユニットはｊ個の第２セルを有し、且つ第１セルと第２セルとは交互に配置され、該第１セルは連続的なｐ個の画素を有し、該第２セルは連続的なｑ個の画素を有し、図３Ｂと図３Ｃに示すように、ｐとｑはいずれもｂ＊ｂの画素アレイであり、斜線部分は第１部分表示ユニットであり、空白部分は第２部分表示ユニットである。もちろん、ｐとｑは異なっていても良く、本実施では限定しない。
【００５５】
ｐとｑがいずれも２である場合、図３Ｄと図３Ｅに示すように、斜線部分は第１部分表示ユニットであり、空白部分は第２部分表示ユニットである。
【００５６】
本実施例において、隣接する２行の表示ユニットにおいて、１行目の表示ユニットにおける全ての第１セルと２行目の表示ユニットにおける全ての第１セルとは行方向に相互にずらし、隣接する２行の表示ユニットにおいて、１行目の表示ユニットにおける全ての第２セルと２行目の表示ユニットにおける全ての第２セルとは行方向に相互にずらす。上記図３Ｂ〜３Ｇにおいて、隣接する２行の斜線部分は行方向に相互にずらす。
【００５７】
なお、表示ユニットが１行の画素組合せである場合、ｐ個の画素が該行において連続的であり、表示ユニットが２行又は複数行の画素組合せである場合、連続するｐ個の画素はｂ＊ｂの画素アレイであり、該画素アレイにおいて各行のｂ個の画素は連続的であり、各行のｂ個の画素は非連続的である。即ち、これによって類推して、連続するｐ個の画素は１行目の１〜ｂ個の画素、３行目の１〜ｂ個の画素、５行目の１〜ｂ個の画素、・・・、を含み、図３Ｂと３Ｃを参照する。
【００５８】
表示内容が変更しないことを検出した場合、端末はディスプレイを制御して、奇数回更新する時に各第１セルに対応する表示データのみを更新し、偶数回更新する時に各第２セルに対応する表示データのみを更新することができる。即ち、奇数回更新する時、図３Ｂ、３Ｄ、及び３Ｆにおける斜線部分を更新し、偶数回更新する時、図３Ｃ、３Ｅ、及び３Ｇにおける斜線部分を更新する。
【００５９】
第２種可能な実施形態において、表示ユニットが列で区画したｎ列の画素組合せである場合、第３部分表示ユニットはｋ個の第３セルを有し、第４部分表示ユニットはｌ個の第４セルを有し、第３セルと第４セルとは交互に配置され、ｋとｌは正の整数であり、該第３セルは連続するｒ個の画素を有し、該第４セルは連続するｓ個の画素を有し、ｒとｓは正の整数である。
【００６０】
本実施例において、隣接する２列の表示ユニットにおいて、１列目の表示ユニットにおける全ての第３セルと２列目の表示ユニットにおける全ての第３セルとは行方向に相互にずらし、隣接する２列の表示ユニットにおいて、１列目の表示ユニットにおける全ての第４セルと２列目の表示ユニットにおける全ての第４セルとは行方向に相互にずらす。
【００６１】
ここで、第２種実施形態２は第１種実施形態１と類似し、詳しくは実施形態１における説明を見る。
【００６２】
また、図３Ｈと図３Ｉに示すように、ｒとｓはいずれもｃ＊ｃの画素アレイであり、斜線部分は第１部分表示ユニットであり、空白部分は第２部分表示ユニットである。もちろん、ｒとｓは異なっていても良く、本実施例では限定しない。
【００６３】
ｒとｓはいずれも２である場合、図３Ｊと図３Ｋに示すように、ｒとｓはいずれも１である場合、第１種実施形態におけるｐとｑがいずれも１である時の状況と同一であり、図３Ｆと図３Ｇに示すように、斜線部分は第１部分表示ユニットであり、空白部分は第２部分表示ユニットである。
【００６４】
表示内容が変更しないことを検出した場合、端末はディスプレイを制御して、奇数回更新する時に各第３セルに対応する表示データのみを更新し、偶数回更新する時に各第４セルに対応する表示データのみを更新することができる。即ち、奇数回更新する時、図３Ｈ、図３Ｊ、及び図３Ｆにおける斜線部分を更新し、偶数回更新する時、図３Ｉ、図３Ｋ、及び図３Ｇにおける斜線部分を更新する。
【００６５】
見てわかるように、上記方法を採用してディスプレイの表示内容を制御し、表示内容が変わらない場合、ディスプレイが毎回リフレッシュする時完全な表示データを更新する必要がなく、毎回リフレッシュする時に一部の表示データのみを更新することを必要とし、例えば、表示ユニットの第１表示部分と第２表示部分により交互に更新する時、又は表示ユニットの第３表示部分と第４表示部分により交互に更新する時、毎回リフレッシュする時に更新する表示データは本来の１／２であり、ディスプレイの電力消費を顕著に減少させることができる。
【００６６】
端末がディスプレイを制御して表示内容を更新させる時、下記３つの可能な実施形態を含む。
【００６７】
第１種の可能な実施形態において、図３Ｌに示すように、上記ステップ３０３はステップ３０３Ａ、ステップ３０３Ｂを含むことができる。
【００６８】
ステップ３０３Ａにおいて、表示内容が変更しないことを検出した場合、プロセッサーにより表示内容における全ての表示ユニットに対応する表示データを生成する。
【００６９】
端末においてプロセッサーにより表示内容が変更しないことを検出した場合、ディスプレイの解像度に基づいて、プロセッサーにより表示内容における全ての表示ユニットに対応する表示データを生成し、該プロセッサーはＣＰＵ又はＧＰＵであってもよい。例えば、ディスプレイの解像度が１０８０＊１９２０である場合、プロセッサーにより生成した表示内容に対応する表示データのデータ量は１０８０＊１９２０＝２０７３６００画素である。
【００７０】
ステップ３０３Ｂにおいて、表示ユニットがｍ行の画素組合せである場合、プロセッサーにより伝送バスを制御し、ディスプレイの駆動ＩＣに第１部分表示ユニットと第２部分表示ユニットに対応する表示データを交互に伝送し、又は、表示ユニットがｎ列の画素組合せである場合、プロセッサーにより伝送バスを制御し、ディスプレイの駆動ＩＣに第３部分表示ユニットと第４部分表示ユニットに対応する表示データを交互に伝送し、駆動ＩＣは受信された表示データに基づいてディスプレイを制御して更新させるのに用いられる。
【００７１】
表示内容が変化しない時にディスプレイに更新する表示データのデータ量を減少させるため、プロセッサーは、表示内容が変更しないことを検出した時、表示ユニットがｍ行の画素組合せであれば、伝送バスを制御してディスプレイの駆動ＩＣに第１部分表示ユニットと第２部分表示ユニットに対応する表示データを交互に伝送させ、又は、表示ユニットがｎ列の画素組合せであれば、伝送バスを制御してディスプレイの駆動ＩＣに第３部分表示ユニットと第４部分表示ユニットに対応する表示データを交互に伝送させる。
【００７２】
駆動ＩＣは伝送バスを介して該表示データを受信した後、該表示データに基づいてディスプレイにおける対応する画素を制御して更新させる。伝送バスが第１部分表示ユニットと第２部分表示ユニットに対応する表示データを交互に伝送するため、ディスプレイは表示内容を更新する度に、第１部分表示ユニットと第２部分表示ユニットに対応する表示データのみを更新する。又は、伝送バスが第３部分表示ユニットと第４部分表示ユニットに対応する表示データを交互に伝送するため、ディスプレイは表示内容を更新する度に、第３部分表示ユニットと第４部分表示ユニットに対応する表示データのみを更新する。一部の表示ユニットに対応する表示データを交互に伝送し、従来の更新モードに比べて、更新するデータ量は大幅に低減され、ユーザーの視覚に影響を与えない。また、伝送バスにおいて伝送されるデータ量が大幅に減少されるため、データ伝送による電磁干渉も相応的に減少され、端末におけるその他のモジュールの正常動作を保証する。
【００７３】
なお、表示内容が変更したことを検出した場合、プロセッサーは伝送バスを介して完全な表示データを駆動ＩＣに送信し、駆動ＩＣによりディスプレイを制御して表示内容における全ての表示ユニットに対応する表示データを更新させる。
【００７４】
本実施例において、表示内容が変更しない場合、表示ユニットがｎ行の画素組合せであれば、プロセッサーにより伝送バスを制御し、ディスプレイの駆動ＩＣに第１部分表示ユニットと第２部分表示ユニットに対応する表示データを交互に伝送し、又は、表示ユニットがｎ列の画素組合せであれば、プロセッサーが伝送バスを制御し、ディスプレイの駆動ＩＣに第３部分表示ユニットと第４部分表示ユニットに対応する表示データを交互に伝送し、駆動ＩＣは受信された表示データに基づいてディスプレイを制御して更新させるのに用いられ、伝送バスの電力消費を低減し、表示データが伝送バスにおいて伝送される時発生した電磁干渉を低減することができる。
【００７５】
第２種可能な実施形態において、図３Ｍに示すように、上記ステップ３０３は以下のステップを含むことができる。
【００７６】
ステップ３０３Ｃにおいて、表示内容が変更しないことを検出した場合、プロセッサーにより表示内容における全ての表示ユニットに対応する表示データを生成する。
【００７７】
該ステップの実現方式は上記ステップ３０３Ａと類似し、ここでは贅言を重ねることはしない。
【００７８】
ステップ３０３Ｄにおいて、プロセッサーによりディスプレイの駆動ＩＣに該表示データを伝送し、該表示データは伝送バスを介して伝送される。
【００７９】
上記ステップ３０３Ｂと異なるのは、プロセッサーは伝送バスを介して、完全な表示データを駆動ＩＣに伝送する。
【００８０】
ステップ３０３Ｅにおいて、表示ユニットがｍ行の画素組合せである場合、プロセッサーにより駆動ＩＣに第１交互更新コマンドを送信し、駆動ＩＣは第１交互更新コマンドに基づいてディスプレイを制御して第１部分表示ユニットと第２部分表示ユニットに対応する表示データを交互に更新させるのに用いられ、又は、表示ユニットがｎ列の画素組合せである場合、プロセッサーにより駆動ＩＣに第２交互更新コマンドを送信し、駆動ＩＣは第２交互更新コマンドに基づいてディスプレイを制御して第３部分表示ユニットと第４部分表示ユニットに対応する表示データを交互に更新させるのに用いられる。
【００８１】
プロセッサーは伝送バスに完全な表示データを伝送するとともに、駆動ＩＣに交互更新コマンドを送信し、前記表示ユニットがｍ行の画素組合せである場合、駆動ＩＣにディスプレイを制御して表示データにおける第１部分表示ユニットと第２部分表示ユニットの表示データを交互に更新させ、又は、前記表示ユニットがｎ列の画素組合せである場合、駆動ＩＣにディスプレイを制御して表示データにおける第３部分表示ユニットと第４部分表示ユニットの表示データを交互に更新させ、したがってディスプレイが表示データを交互に更新し、ディスプレイの表示内容が変化しない時の電力消費を低減するという効果を実現する。
【００８２】
なお、表示内容が変更した場合、プロセッサーは伝送バスのみを介して、完全な表示データを駆動ＩＣに伝送し、該交互更新コマンドを送信することなく、相応に、駆動ＩＣはディスプレイを制御して表示データにおける全ての表示ユニットの表示データを更新させる。
【００８３】
本実施例において、表示内容が変更しない場合、プロセッサーはディスプレイの駆動ＩＣに全ての表示ユニットに対応する表示データを送信するとともに、更に駆動ＩＣに交互更新コマンドを送信し、駆動ＩＣにディスプレイを制御して表示データにおける第１部分表示ユニットと第２部分表示ユニットの表示データを交互に更新させ、又は、駆動ＩＣにディスプレイを制御して表示データにおける第３部分表示ユニットと第４部分表示ユニットの表示データを交互に更新させ、したがって表示ユニットが変化しない時のディスプレイの表示データの更新量を減少させ、ディスプレイの電力消費を低減する。
【００８４】
第３種可能な実施形態において、図３Ｎに示すように、上記ステップ３０３は以下のステップを含むことができる。
【００８５】
ステップ３０３Ｆにおいて、表示内容が変更しないことを検出した場合、表示ユニットがｍ行の画素組合せであれば、プロセッサーにより表示内容における第１部分表示ユニットと第２部分表示ユニットに対応する表示データを交互に生成し、又は、表示内容が変更しないことを検出した場合、表示ユニットがｎ列の画素組合せであれば、プロセッサーにより表示内容における第３部分表示ユニットと第４部分表示ユニットに対応する表示データを交互に生成する。
【００８６】
上記ステップ３０３Ａやステップ３０３Ｃと異なるのは、表示内容が変更しないことを検出した場合、プロセッサーは表示データの生成段階において、第１部分表示ユニットと第２部分表示ユニットに対応する表示データを交互に生成し、又は、表示内容における第３部分表示ユニットと第４部分表示ユニットに対応する表示データを交互に生成し、完全な表示データを生成することに比べて、一部の表示データのみを生成するため、表示データを生成する時にプロセッサーが消費する処理資源が大幅に減少され、したがってプロセッサーの電力消費を低減する。
【００８７】
ステップ３０３Ｇにおいて、プロセッサーによりディスプレイの駆動ＩＣに生成した表示データを伝送し、駆動ＩＣは受信された表示データに基づいてディスプレイを制御して更新させるのに用いられ、該表示データは伝送バスを介して伝送される。
【００８８】
プロセッサーは第１部分表示ユニットと第２部分表示ユニットに対応する表示データを交互に生成し、又は、第３部分表示ユニットと第４部分表示ユニットに対応する表示データを交互に生成し、伝送バスを介して生成した表示データを駆動ＩＣに伝送し、駆動ＩＣにより該表示データに基づいてディスプレイを制御して対応的な更新を行わせ、表示内容が変更しない時にディスプレイが更新するデータ量を減少させるだけでなく、更に伝送バスにおいて伝送されるデータ量を減少させ、表示データが伝送バスにおいて伝送される時に発生した電磁干渉を低減することができる。
【００８９】
本実施例において、表示内容が変更しない場合、プロセッサーは表示内容における第１部分表示ユニットと第２部分表示ユニットに対応する表示データを交互に生成し、又は、表示内容における第３部分表示ユニットと第４部分表示ユニットに対応する表示データを交互に生成し、伝送バスを介してディスプレイの駆動ＩＣに送信し、駆動ＩＣにより該表示データに基づいてディスプレイを制御して交互に更新させ、プロセッサーが生成した表示データの量を減少し、プロセッサーの電力消費を低減することができるだけでなく、更に伝送バスにおける電力消費を低減し、表示データが伝送バスにおいて伝送される時に発生した電磁干渉を低減することができる。
【００９０】
駆動ＩＣが上記３つの方式で表示データを取得した後、ディスプレイを制御して表示データを更新することができる。実現する時、ステップ３０３は、表示ユニットが行で区画したｍ行の画素組合せであれば、奇数回更新する時、駆動ＩＣにより各第１セルにおける全ての画素のスイッチを第１状態に制御し、各第２セルにおける全ての画素のスイッチを第２状態に制御することと、偶数回更新する時、駆動ＩＣにより各第１セルにおける全ての画素のスイッチを第２状態に制御し、各第２セルにおける全ての画素のスイッチを第１状態に制御することと、表示ユニットが列で区画したｎ列の画素組合せであれば、奇数回更新する時、駆動ＩＣにより各第３セルにおける全ての画素のスイッチを第１状態に制御し、各第４セルにおける全ての画素のスイッチを第２状態に制御することと、偶数回更新する時、駆動ＩＣにより各第３セルにおける全ての画素のスイッチを第２状態に制御し、各第４セルにおける全ての画素のスイッチを第１状態に制御することと、をさらに含むことができる。
【００９１】
回路を実現する時、各画素を対応するイネーブル線により駆動ＩＣに電気的に接続し、各画素をスイッチによりデータ線に電気的に接続することができる。駆動ＩＣはイネーブル線により画素に対応するスイッチの状態を制御することができる。第１状態はオン状態であり、第２状態はオフ状態であり、または、第１状態はオフ状態であり、第２状態はオン状態である。
【００９２】
例えば、駆動ＩＣがイネーブル線により画素のスイッチをオン状態に制御する場合、データ線で表示データを伝送して該画素の表示データを更新し、駆動ＩＣがイネーブル線により画素のスイッチをオフ状態に制御する場合、該画素の表示データは変わらない。
【００９３】
本実施例において、各画素に対して１つのデータ線を設置しても良く、複数の画素に対して１つのデータ線を設置しても良く、本実施例では限定しない。図３Ｏに示すように、１行の画素組合せに対して１つのデータ線を設置することを例として説明し、第１セルと第２セルがそれぞれ連続する２つ画素を含むことを想定し、１行目の画素組合せをスキャンする場合、即ち、１行目の表示ユニットに対応する表示データを更新する場合、イネーブル線１によりスイッチ１と２をオンに制御し、イネーブル線２によりスイッチ３と４をオフに制御し、・・・、これによって類推して、イネーブル線ｂ／２によりスイッチｂ‐１とｂをオンに制御し、２行目の画素組合せをスキャンする場合、イネーブル線１によりスイッチ１と２をオフに制御し、イネーブル線２によりスイッチ３と４をオンに制御し、・・・、これによって類推して、イネーブル線ｂ／２によりスイッチｂ‐１とｂをオフに制御する。
【００９４】
上述のように、本実施例により提供される表示方法は、表示内容が変更したか否かを検出し、表示内容に変更が発生しないことを検出した場合ディスプレイを制御して表示内容における第１部分表示ユニットと第２部分表示ユニットに対応する表示データを交互に更新させ、又は、表示内容における第３部分表示ユニットと第４部分表示ユニットに対応する表示データを交互に更新させることにより、本来のリフレッシュレートを維持するとともに、ディスプレイが毎回更新する画素数を減少させることができ、ディスプレイのリフレッシュレートを低減することによるディスプレイの画面のちらつき現象を引き起こす問題を解決し、ディスプレイの本来のリフレッシュレートを維持するとともに、ディスプレイの画面のちらつき現象を回避し、ディスプレイ電力消費を低減する効果を実現する。
【００９５】
また、３つの端末がディスプレイを制御して内容を更新させる時の実施形態により、伝送バスの電力消費を低減させ、表示データが伝送バスにおいて伝送される時に発生した電磁干渉を低減する効果を実現する。
【００９６】
図４は、一例示的な実施例により示された内容表示装置のブロック図であり、図４に示すように、該内容表示装置は検出モジュール４１０、制御モジュール４２０を含む。
【００９７】
該検出モジュール４１０は、ディスプレイにおける表示内容が変更したか否かを検出するように配置される。
【００９８】
該制御モジュール４２０は、検出モジュール４１０により表示内容が変更しないことを検出した場合、ディスプレイを制御して各行の表示ユニットにおける第１部分表示ユニットと第２部分表示ユニットに対応する表示データを交互に更新させるように配置され、表示ユニットは行で区画したｍ行の画素組合せであり、又は、ディスプレイを制御して各列の表示ユニットにおける第３部分表示ユニットと第４部分表示ユニットに対応する表示データを交互に更新させるように配置され、表示ユニットは列で区画したｎ列の画素組合せであり、ｍとｎは正の整数である。
【００９９】
上述のように、本発明により提供された内容表示装置は、ディスプレイにおける表示内容が変更したか否かを検出し、表示内容が変更しない場合、ディスプレイを制御して各行の表示ユニットにおける第１部分表示ユニットと第２部分表示ユニットに対応する表示データを交互に更新させ、又は、ディスプレイを制御して各列の表示ユニットにおける第３部分表示ユニットと第４部分表示ユニットに対応する表示データを交互に更新させることにより、本来のリフレッシュレートを維持するとともに、ディスプレイが毎回更新する画素数を減少させることができ、ディスプレイのリフレッシュレートを低減することによるディスプレイの画面のちらつき現象を引き起こす問題を解決し、ディスプレイの本来のリフレッシュレートを維持するとともに、ディスプレイの画面のちらつき現象を回避し、ディスプレイ電力消費を低減する効果を実現する。
【０１００】
図５は、一例示的な実施例により示された内容表示装置のブロック図であり、図５に示すように、該内容表示装置は検出モジュール５１０、制御モジュール５２０を含む。
【０１０１】
該検出モジュール５１０は、ディスプレイにおける表示内容が変更したか否かを検出するように配置される。
【０１０２】
該制御モジュール５２０は、検出モジュール５１０により検出された表示内容が変更しない場合、ディスプレイを制御して各行の表示ユニットにおける第１部分表示ユニットと第２部分表示ユニットに対応する表示データを交互に更新させるように配置され、表示ユニットは行で区画したｍ行の画素組合せであり、又は、ディスプレイを制御して各列の表示ユニットにおける第３部分表示ユニットと第４部分表示ユニットに対応する表示データを交互に更新させるように配置され、表示ユニットは列で区画したｎ列の画素組合せであり、ｍとｎは正の整数である。
【０１０３】
表示ユニットが行で区画したｍ行の画素組合せである場合、第１部分表示ユニットはｉ個の第１セルを有し、第２部分表示ユニットはｊ個の第２セルを有し、第１セルと第２セルとは交互に配置され、ｉとｊは正の整数であり、
該第１セルは連続するｐ個の画素を有し、該第２セルは連続するｑ個の画素を有し、ｐとｑは正の整数であることが好ましい。
【０１０４】
隣接する２行の表示ユニットにおいて、１行目の表示ユニットにおける全ての第１セルと２行目の表示ユニットにおける全ての第１セルとは行方向に相互にずらし、隣接する２行の表示ユニットにおいて、１行目の表示ユニットにおける全ての第２セルと２行目の表示ユニットにおける全ての第２セルとは行方向に相互にずらすことが好ましい。
【０１０５】
各画素は対応するイネーブル線を介して駆動集積回路ＩＣに電気的に接続され、各画素はスイッチを介してデータ線に電気的に接続され、該制御モジュール５２０は第１制御サブモジュール５２１、第２制御サブモジュール５２２を含むことが好ましい。
【０１０６】
該第１制御サブモジュール５２１は、奇数回更新する時、駆動ＩＣにより各第１セルにおける全ての画素のスイッチを第１状態に制御し、各第２セルにおける全ての画素のスイッチを第２状態に制御するように配置される。
【０１０７】
該第２制御サブモジュール５２２は、偶数回更新する時、駆動ＩＣにより各第１セルにおける全ての画素のスイッチを第２状態に制御し、各第２セルにおける全ての画素のスイッチを第１状態に制御するように配置される。
【０１０８】
表示ユニットが列で区画したｎ列の画素組合せである場合、第３部分表示ユニットはｋ個の第３セルを有し、第４部分表示ユニットはｌ個の第４セルを有し、第３セルと第４セルとは交互に配置され、ｋと１は正の整数であり、
該第３セルは連続するｒ個の画素を有し、該第４セルは連続するｓ個の画素を有し、ｒとｓは正の整数であることが好ましい。
【０１０９】
隣接する２列の表示ユニットにおいて、１列目の表示ユニットにおける全ての第３セルと２列目の表示ユニットにおける全ての第３セルとは行方向に相互にずらし、隣接する２列の表示ユニットにおいて、１列目の表示ユニットにおける全ての第４セルと２列目の表示ユニットにおける全ての第４セルとは行方向に相互にずらすことが好ましい。
【０１１０】
各画素は対応するイネーブル線を介して駆動ＩＣに電気的に接続され、各画素はスイッチを介してデータ線に電気的に接続され、該制御モジュール５２０は、第３制御サブモジュール５２３、第４制御サブモジュール５２４をさらに含むことが好ましい。
【０１１１】
該第３制御サブモジュール５２３は、奇数回更新する時、駆動ＩＣにより各第３セルにおける全ての画素のスイッチを第１状態に制御し、各第４セルにおける全ての画素のスイッチを第２状態に制御するように配置され、
該第４制御サブモジュール５２４は、偶数回更新する時、駆動ＩＣにより各第３セルにおける全ての画素のスイッチを第２状態に制御し、各第４セルにおける全ての画素のスイッチを第１状態に制御するように配置される。
【０１１２】
上述のように、本発明により提供された内容表示装置は、表示内容が変更したか否かを検出し、表示内容が変更しないことを検出した場合ディスプレイを制御して表示内容における第１部分表示ユニットと第２部分表示ユニットに対応する表示データを交互に更新させ、又は、表示内容における第３部分表示ユニットと第４部分表示ユニットに対応する表示データを交互に更新させることにより、本来のリフレッシュレートを維持するとともに、ディスプレイの毎回更新する画素数を減少させることができ、ディスプレイのリフレッシュレートを低減することによるディスプレイの画面のちらつき現象を引き起こす問題を解決し、ディスプレイの本来のリフレッシュレートを維持するとともに、ディスプレイの画面のちらつき現象を回避し、ディスプレイの電力消費を低減する効果を実現する。
【０１１３】
上記実施例における装置について、各モジュールが操作を実行する具体的な態様は既に該方法に関わる実施例において詳細に説明されたため、ここではその詳細な説明を省略する。
【０１１４】
本発明の一例示的な実施例により提供される内容表示装置は、本発明により提供された内容表示方法を実現することができ、該内容表示装置は、プロセッサーと、プロセッサーにより実行可能なコマンドを記憶するためのメモリとを含み、
プロセッサーは、
ディスプレイにおける表示内容が変更したか否かを検出し、
表示内容が変更しない場合、ディスプレイを制御して各行の表示ユニットにおける第１部分表示ユニットと第２部分表示ユニットに対応する表示データを交互に更新させるように配置され、表示ユニットは行で区画したｍ行の画素組合せであり、又は、ディスプレイを制御して各列の表示ユニットにおける第３部分表示ユニットと第４部分表示ユニットに対応する表示データを交互に更新させるように配置され、表示ユニットは列で区画したｎ列の画素組合せであり、ｍとｎは正の整数である。
【０１１５】
図６は、一例示的な実施例により示された内容表示に用いられる装置６００のブロック図である。例えば、装置６００は、携帯電話、コンピュータ、デジタル放送端末、メッセージ送受信装置、ゲームコンソール、タブレット型デバイス、医療機器、フィットネス機器、個人用デジタル補助装置などであってもよい。
【０１１６】
図６に示すように、装置６００は、処理部６０２、メモリ６０４、電源部６０６、マルチメディア部６０８、音声部６１０、入力／出力（Ｉ／Ｏ）のインターフェース６１２、センサー部６１４、及び通信部６１６のうちの一つ又は複数の部材を含むことができる。
【０１１７】
処理部６０２は、一般的に装置６００の全体的操作、例えば、表示、電話呼び出し、データ通信、カメラ操作及び記録操作に関する操作を制御する。処理部６０２は、上記方法の全部又は一部のステップを完成するために、一つ又は複数のプロセッサー６２０を含んでコマンドを実行してもよい。さらに、処理部６０２は、その他のモジュールとのインタラクションを便利にするように、一つ又は複数のモジュールを含んでもよい。例えば、処理部６０２は、マルチメディア部６０８と処理部６０２とのインタラクションを便利にするように、マルチメディアモジュールを含んでもよい。
【０１１８】
メモリ６０４は、装置６００の操作をサポートするために、様々な種類のデータを記憶するように配置される。これらのデータの実例は、装置６００において操作される如何なるアプリケーション又は方法のコマンド、連絡先データ、電話帳データ、メッセージ、画像、ビデオなどを含む。メモリ６０４は、如何なる種類の揮発性又は不揮発性メモリ又はそれらの組合せ、例えば、スタティックランダムアクセスメモリ（ＳＲＡＭ）、電気的消去可能なプログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１１９】
電源部６０６は、装置６００の様々な部材のために電力を供給する。電源部６０６は、電源管理システム、一つ又は複数の電源、及びその他の装置６００のための電力の生成、管理及び供給に関連する部材を含むことができる。
【０１２０】
マルチメディア部６０８は、前記装置６００とユーザーの間の一つの出力インターフェースを提供するスクリーンを含む。一部の実施例において、スクリーンは液晶ディスプレイ（ＬＣＤ）とタッチパネル（ＴＰ）を含んでもよい。スクリーンにタッチパネルが含まれる場合、スクリーンはユーザーからの入力信号を受信するために、タッチスクリーンに実現されることができる。タッチパネルは、タッチ、スワイプ及びタッチパネルにおけるジェスチャーを感知するために、一つ又は複数のタッチセンサを含む。前記タッチセンサは、タッチ又はスワイプ動作の境界を感知するとともに、前記タッチ又はスワイプ動作に関わる持続時間及び圧力を検出することができる。一部の実施例において、マルチメディア部６０８は、フロントカメラ及び／又はバックカメラを含む。装置６００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【０１２１】
音声部６１０は、音声信号を出力及び／又は入力するように配置される。例えば、音声部６１０は、マイクロホン（ＭＩＣ）を含み、装置６００が操作モードである場合、例えば、呼び出しモード、記録モード及び音声認識モードである場合、マイクロホンは外部の音声信号を受信するように配置される。受信された音声信号は、さらにメモリ６０４に記憶され、又は通信部６１６を介して送信される。一部の実施例において、音声部６１０は、さらに音声信号を出力するスピーカーを含む。
【０１２２】
Ｉ／Ｏインターフェース６１２は、処理部６０２と周辺インターフェース部との間にインターフェースを提供し、上記周辺インターフェース部は、キーボード、クリックホイール、ボタンなどであってもよい。これらのボタンは、ホームボタン、ボリュームボタン、スタートボタン及びホールドボタンを含むことができるが、それに限定されない。
【０１２３】
センサー部６１４は、一つ又は複数のセンサーを含み、装置６００に各方面の状態評価を提供するためである。例えば、センサー部６１４は、装置６００のオン／オフ状態、部材の相対的位置決めを検出することができ、例えば、前記部材が装置６００のディスプレイ及びキーパッドであり、センサー部６１４は、さらに装置６００又は装置６００の一つの部材の位置変化、ユーザーと装置６００との接触の有無、装置６００の方角又は加速／減速及び装置６００の温度変化を検出することができる。センサー部６１４は、近接センサーを含むことができ、如何なる物理的接触がない時、近傍物体の存在を検出するように配置される。センサー部６１４は、さらに光学センサー、例えば、ＣＭＯＳ又はＣＣＤイメージセンサーを含むことができ、イメージングアプリケーションに用いられる。一部の実施例において、該センサー部６１４は、さらに加速度センサー、ジャイロセンサー、磁気センサー、圧力センサー又は温度センサーを含むことができる。
【０１２４】
通信部６１６は、装置６００とその他の装置との有線又は無線方式による通信を便利にするように配置される。装置６００は、通信標準に基づく無線ネットワーク、例えば、Ｗｉ−Ｆｉ、２Ｇ又は３Ｇ、又はそれらの組み合わせにアクセスすることができる。一例示的な実施例において、通信部６１６は、放送チャネルを介して外部放送管理システムからの放送信号又は放送関連情報を受信する。一例示的な実施例において、通信部６１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１２５】
例示的な実施例において、装置６００は、一つ又は複数の特定用途向け集積回路（ＡＳＩＣ）、デジタル信号プロセッサー（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記方法を実行するのに用いられる。
【０１２６】
例示的な実施例において、さらに、コマンドを含む非一時的コンピュータ可読記憶媒体、例えば、コマンドを含むメモリ６０４を提供し、上記方法を完成するために、上記コマンドは装置６００のプロセッサー６２０により実行することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１２７】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない当該技術分野における一般的知識又は慣用の技術手段を含む。明細書と実施例は例示的なものに過ぎず、本発明の実際の範囲と精神は特許請求の範囲により与えられる。
【０１２８】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
2018503139.tif 000003
【図２】
2018503139.tif 000004
【図３Ａ】
2018503139.tif 000005
【図３Ｂ】
2018503139.tif 000006
【図３Ｃ】
2018503139.tif 000007
【図３Ｄ】
2018503139.tif 000008
【図３Ｅ】
2018503139.tif 000009
【図３Ｆ】
2018503139.tif 000010
【図３Ｇ】
2018503139.tif 000011
【図３Ｈ】
2018503139.tif 000012
【図３Ｉ】
2018503139.tif 000013
【図３Ｊ】
2018503139.tif 000014
【図３Ｋ】
2018503139.tif 000015
【図３Ｌ】
2018503139.tif 000016
【図３Ｍ】
2018503139.tif 000017
【図３Ｎ】
2018503139.tif 000018
【図３Ｏ】
2018503139.tif 000019
【図４】
2018503139.tif 000020
【図５】
2018503139.tif 000021
【図６】
2018503139.tif 000022
【国際調査報告】
2018503139.tif 000023
2018503139.tif 000024
2018503139.tif 000025
2018503139.tif 000026